(57)【要約】【課題】貼り付けの作業性を向上することができるラベルシート及びポスター作製方法を提供する。【解決手段】ラベルシート１は、フェイスシート１０と剥離シート５０とを有する。フェイスシート１０は、印刷予定領域１８が設定される一方面１３と、粘着層１６が形成された他方面１４と、を有する。剥離シート５０は、粘着層１６によってフェイスシート１０の他方面１４に剥離可能に積層されている。フェイスシート１０は、印刷予定領域１８を通るように延在して当該フェイスシート１０を使用領域２０と除去領域２２とに区切る第１の切断線３０を有する。剥離シート５０は、使用領域２０を通るように第１の切断線３０の延在方向に沿って延在する第２の切断線６０を有する。【選択図】図１
2016051037.tif 000002
【特許請求の範囲】
【請求項１】
印刷予定領域が設定される一方面と、粘着層が形成された他方面と、を有するフェイスシートと、
前記粘着層によって前記フェイスシートの前記他方面に剥離可能に積層された剥離シートと、を備え、
前記フェイスシートは、前記印刷予定領域を通るように延在して当該フェイスシートを使用領域と除去領域とに区切る第１の切断線を有し、
前記剥離シートは、前記使用領域を通るように前記第１の切断線の延在方向に沿って延在する第２の切断線を有している、ラベルシート。
【請求項２】
前記第１の切断線は、第１の方向に延びる一対の第１の線分と、前記第１の方向に交差する第２の方向に延びる一対の第２の線分と、を有して矩形状をなし、
前記第１の切断線の内側が前記使用領域となっており、前記第１の切断線の外側が前記除去領域となっている、請求項１記載のラベルシート。
【請求項３】
前記第２の切断線は、前記第１の方向に延びる一対の第１の線分と、前記第２の方向に延びる一対の第２の線分と、を有している、請求項２記載のラベルシート。
【請求項４】
前記第２の切断線の両端部は、前記剥離シートの縁まで延びている、請求項２又は３記載のラベルシート。
【請求項５】
前記第２の切断線は、前記第１の切断線と重なる位置に矩形状に形成された第３の線分を有している、請求項３記載のラベルシート。
【請求項６】
前記第２の切断線は、
前記第１の切断線よりも内側に形成された矩形状の第３の線分と、
前記第３の線分で画成される領域と、前記一対の第１の線分、前記一対の第２の線分、及び前記剥離シートの縁によって囲まれた領域と、を連結する第４の線分と、を有している、請求項３記載のラベルシート。
【請求項７】
前記第２の切断線は、前記第１の方向に延びる複数の第１の線分と、前記第２の方向に延びる複数の第２の線分と、を有している、請求項４記載のラベルシート。
【請求項８】
印刷予定領域が全面に設定される一方面と、粘着層が形成された他方面と、を有するフェイスシートと、
前記粘着層によって前記フェイスシートの前記他方面に剥離可能に積層された剥離シートと、を備え、
前記剥離シートは、前記フェイスシートと重なる領域を通るように前記フェイスシートの縁の延在方向に沿って延在すると共に、両端部が前記剥離シートの縁まで延びる切断線を有している、ラベルシート。
【請求項９】
前記フェイスシートは、第１の方向に延びる一対の第１の縁と、前記第１の方向に交差する第２の方向に延びる一対の第２の縁と、を有して矩形状をなし、
前記切断線は、前記第１の方向に延びる一対の第１の線分と、前記第２の方向に延びる一対の第２の線分と、を有している、請求項８記載のラベルシート。
【請求項１０】
前記切断線は、
矩形状の第３の線分と、
前記第３の線分で画成される領域と、前記一対の第１の線分、前記一対の第２の線分、及び前記剥離シートの縁によって囲まれた領域と、を連結する第４の線分と、を有している、請求項９記載のラベルシート。
【請求項１１】
前記剥離シートの縁は、前記フェイスシートの縁からはみ出している、請求項８又は９記載のラベルシート。
【請求項１２】
印刷予定領域が設定される一方面と、粘着層が形成された他方面と、を有するフェイスシートと、前記粘着層によって前記フェイスシートの前記他方面に剥離可能に積層された剥離シートと、を備える複数のラベルシートを用い、
前記複数のラベルシートの各々の前記印刷予定領域に所定の画像を印刷する工程と、
前記印刷予定領域を通るように延在する第１の切断線により、前記第１の切断線で区切られる使用領域と除去領域のうちの前記除去領域を前記フェイスシートから除去する工程と、
前記使用領域を通るように前記第１の切断線の延在方向に沿って延在する第２の切断線により、前記除去領域を除去した側で前記使用領域における前記粘着層の一部を前記剥離シートから露出させる工程と、
前記粘着層が露出した前記フェイスシートの前記他方面を、他の前記フェイスシートの前記一方面に重ね合わせて貼り付ける工程と、を含む、ポスター作製方法。
【請求項１３】
印刷予定領域が全面に設定される一方面と、粘着層が形成された他方面と、を有するフェイスシートと、前記粘着層によって前記フェイスシートの前記他方面に剥離可能に積層された剥離シートと、を備える複数のラベルシートを用い、
前記複数のラベルシートの各々の前記印刷予定領域に所定の画像を印刷する工程と、
前記フェイスシートと重なる領域を通るように前記フェイスシートの縁の延在方向に沿って延在すると共に、両端部が前記剥離シートの縁まで延びる切断線により、前記粘着層の一部を前記剥離シートから露出させる工程と、
前記粘着層が露出した前記フェイスシートの前記他方面を、他の前記フェイスシートの前記一方面に重ね合わせて貼り付ける工程と、を含む、ポスター作製方法。
【請求項１４】
前記粘着層が露出した前記フェイスシートの前記他方面を、貼り付け対象に貼り付けられた他の前記フェイスシートの前記一方面に重ね合わせて貼り付ける工程と、
他の前記フェイスシートに貼り付けられた前記フェイスシートから、残りの前記剥離シートを剥離し、前記粘着層を前記剥離シートから露出させる工程と、
前記粘着層が露出した前記フェイスシートの前記他方面を、前記貼り付け対象に貼り付ける工程と、含む、請求項１２又は１３記載のポスター作製方法。
【請求項１５】
前記フェイスシートの前記他方面と他の前記フェイスシートの前記一方面との重ね合わせ幅を、前記フェイスシートの前記他方面に露出した前記粘着層の幅と等しくする、請求項１２〜１４のいずれか１項記載のポスター作製方法。
【発明の詳細な説明】
【技術分野】
【０００１】
本発明は、ラベルシート及びポスター作製方法に関する。
【背景技術】
【０００２】
ポスター作製方法として、例えば特許文献１に開示された方法がある。この方法では、大型のポスター画像を複数の画像セクションに分割し、それらを個々のシートに印刷する。何枚かのシート又は全てのシートは、辺に沿ってミシン目線が設けられたミシン目付シートである。印刷シート上の避けられない余白は、ミシン目線に沿ってシート片を切り離すことによって取り除く。何枚かのシートのミシン目部分を取り除き、ミシン目線に沿って隣接するシート上の画像を並べることによって、個々のシートが組み合わされてポスターとなる。
【先行技術文献】
【特許文献】
【０００３】
【特許文献１】特開２００８−１１４５８６号公報
【発明の概要】
【発明が解決しようとする課題】
【０００４】
上述のようなポスター作製方法では、個々のシートを組み合わせる際、シート上の画像が連続するように正確に位置を合わせてシート同士を重ね合わせて貼り付ける必要がある。したがって、この貼り付けの作業性を向上することが要請されている。
【課題を解決するための手段】
【０００５】
本発明の一側面は、印刷予定領域が設定される一方面と、粘着層が形成された他方面と、を有するフェイスシートと、粘着層によってフェイスシートの他方面に剥離可能に積層された剥離シートと、を備え、フェイスシートは、印刷予定領域を通るように延在して当該フェイスシートを使用領域と除去領域とに区切る第１の切断線を有し、剥離シートは、使用領域を通るように第１の切断線の延在方向に沿って延在する第２の切断線を有している、ラベルシートである。
【０００６】
一実施形態において、第１の切断線は、第１の方向に延びる一対の第１の線分と、第１の方向に交差する第２の方向に延びる一対の第２の線分と、を有して矩形状をなし、第１の切断線の内側が使用領域となっており、第１の切断線の外側が除去領域となっていてもよい。
【０００７】
一実施形態において、第２の切断線は、第１の方向に延びる一対の第１の線分と、第２の方向に延びる一対の第２の線分と、を有していてもよい。
【０００８】
一実施形態において、第２の切断線の両端部は、剥離シートの縁まで延びていてもよい。
【０００９】
一実施形態において、第２の切断線は、第１の切断線と重なる位置に矩形状に形成された第３の線分を有していてもよい。
【００１０】
一実施形態において、第２の切断線は、第１の切断線よりも内側に形成された矩形状の第３の線分と、第３の線分で画成される領域と、一対の第１の線分、一対の第２の線分、及び剥離シートの縁によって囲まれた領域と、を連結する第４の線分と、を有していてもよい。
【００１１】
一実施形態において、第２の切断線は、第１の方向に延びる複数の第１の線分と、第２の方向に延びる複数の第２の線分と、を有していてもよい。
【００１２】
本発明の一側面は、印刷予定領域が全面に設定される一方面と、粘着層が形成された他方面と、を有するフェイスシートと、粘着層によってフェイスシートの他方面に剥離可能に積層された剥離シートと、を備え、剥離シートは、フェイスシートと重なる領域を通るようにフェイスシートの縁の延在方向に沿って延在すると共に、両端部が剥離シートの縁まで延びる切断線を有している、ラベルシートである。
【００１３】
一実施形態において、フェイスシートは、第１の方向に延びる一対の第１の縁と、第１の方向に交差する第２の方向に延びる一対の第２の縁と、を有して矩形状をなし、切断線は、第１の方向に延びる一対の第１の線分と、第２の方向に延びる一対の第２の線分と、を有していてもよい。
【００１４】
一実施形態において、切断線は、矩形状の第３の線分と、第３の線分で画成される領域と、一対の第１の線分、一対の第２の線分、及び剥離シートの縁によって囲まれた領域と、を連結する第４の線分と、を有していてもよい。
【００１５】
一実施形態において、剥離シートの縁は、フェイスシートの縁からはみ出していてもよい。
【００１６】
本発明の一側面は、印刷予定領域が設定される一方面と、粘着層が形成された他方面と、を有するフェイスシートと、粘着層によってフェイスシートの他方面に剥離可能に積層された剥離シートと、を備える複数のラベルシートを用い、複数のラベルシートの各々の印刷予定領域に所定の画像を印刷する工程と、印刷予定領域を通るように延在する第１の切断線により、第１の切断線で区切られる使用領域と除去領域のうちの除去領域をフェイスシートから除去する工程と、使用領域を通るように第１の切断線の延在方向に沿って延在する第２の切断線により、除去領域を除去した側で使用領域における粘着層の一部を剥離シートから露出させる工程と、粘着層が露出したフェイスシートの他方面を、他のフェイスシートの一方面に重ね合わせて貼り付ける工程と、を含む、ポスター作製方法である。
【００１７】
本発明の一側面は、印刷予定領域が全面に設定される一方面と、粘着層が形成された他方面と、を有するフェイスシートと、粘着層によってフェイスシートの他方面に剥離可能に積層された剥離シートと、を備える複数のラベルシートを用い、複数のラベルシートの各々の印刷予定領域に所定の画像を印刷する工程と、フェイスシートと重なる領域を通るようにフェイスシートの縁の延在方向に沿って延在すると共に、両端部が剥離シートの縁まで延びる切断線により、粘着層の一部を剥離シートから露出させる工程と、粘着層が露出したフェイスシートの他方面を、他のフェイスシートの一方面に重ね合わせて貼り付ける工程と、を含む、ポスター作製方法である。
【００１８】
一実施形態において、粘着層が露出したフェイスシートの他方面を、貼り付け対象に貼り付けられた他のフェイスシートの一方面に重ね合わせて貼り付ける工程と、他のフェイスシートに貼り付けられたフェイスシートから、残りの剥離シートを剥離し、粘着層を剥離シートから露出させる工程と、粘着層が露出したフェイスシートの他方面を、貼り付け対象に貼り付ける工程と、含んでもよい。
【００１９】
一実施形態において、フェイスシートの他方面と他のフェイスシートの一方面との重ね合わせ幅を、フェイスシートの他方面に露出した粘着層の幅と等しくしてもよい。
【発明の効果】
【００２０】
本発明の一側面によれば、切断線で剥離シートを切断することで、フェイスシートの粘着層の一部のみが剥離シートから露出した状態となる。粘着層が露出した一のフェイスシートを他のフェイスシートに対して位置合わせしつつ、一のフェイスシートの他方面を他のフェイスシートの一方面に重ね合わせて貼り付けることで、位置合わせをしながらフェイスシート同士を予備固定することができる。その後、一のフェイスシートから残りの剥離シートを剥離することで、印刷予定領域が連続するようにフェイスシート同士を重ね合わせて貼り付けることができる。このように、本発明の一側面によれば、フェイスシート同士を重ね合わせて貼り付ける際に粘着層の一部のみが露出するのでフェイスシートの位置の調節が容易であり、貼り付けの作業性を向上することができる。また、フェイスシートを貼り直すことが容易であることからも、貼り付けの作業性を向上することができる。
【図面の簡単な説明】
【００２１】
【図１】第１の実施形態に係るラベルシートを示す図であり、（ａ）はフェイスシート側から見た図であり、（ｂ）は剥離シート側から見た図であり、（ｃ）は断面図である。
【図２】第１の実施形態に係るポスター作製方法により作製されたポスターを示す模式図である。
【図３】第１の実施形態に係るポスター作製方法を説明するフローチャートである。
【図４】第１の実施形態に係るポスター作製方法を説明するフローチャートである。
【図５】第１の実施形態に係るポスター作製方法を説明する模式図である。
【図６】第１の実施形態に係るポスター作製方法を説明する模式図であり、図５の後続図である。
【図７】第１の実施形態に係るポスター作製方法を説明する模式図であり、図６の後続図である。
【図８】第１の実施形態に係るポスター作製方法を説明する模式図であり、図７の後続図である。
【図９】第１の実施形態に係るポスター作製方法を説明する模式図であり、図８の後続図である。
【図１０】第１の実施形態に係るポスター作製方法を説明する模式図であり、図９の後続図である。
【図１１】第１の実施形態に係るポスター作成方法により作製されるポスターの例を示す模式図である。
【図１２】変形例に係るラベルシートを示す図であり、（ａ）はフェイスシート側から見た図であり、（ｂ）は剥離シート側から見た図であり、（ｃ）は断面図である。
【図１３】他の変形例に係るラベルシートを示す図であり、（ａ）はフェイスシート側から見た図であり、（ｂ）は剥離シート側から見た図であり、（ｃ）は断面図である。
【図１４】他の変形例に係るラベルシートを示す図であり、（ａ）はフェイスシート側から見た図であり、（ｂ）は剥離シート側から見た図であり、（ｃ）は断面図である。
【図１５】第２の実施形態に係るラベルシートを示す図であり、（ａ）はフェイスシート側から見た図であり、（ｂ）は剥離シート側から見た図であり、（ｃ）は断面図である。
【図１６】変形例に係るラベルシートを示す図であり、（ａ）はフェイスシート側から見た図であり、（ｂ）は剥離シート側から見た図であり、（ｃ）は断面図である。
【図１７】他の変形例に係るラベルシートを示す図であり、（ａ）はフェイスシート側から見た図であり、（ｂ）は剥離シート側から見た図であり、（ｃ）は断面図である。
【発明を実施するための形態】
【００２２】
以下、添付図面を参照して、本発明の好適な実施形態について詳細に説明する。なお、図面の説明において同一又は相当要素には同一符号を付し、重複する説明は省略する。また、本明細書において、「上」、「下」等の方向は、図面に示す状態に基づく便宜的なものである。
【００２３】
［第１の実施形態］
図１は、第１の実施形態に係るラベルシートを示す図であり、（ａ）はフェイスシート側から見た図であり、（ｂ）は剥離シート側から見た図であり、（ｃ）は断面図である。ラベルシート１は、当該ラベルシート１同士を重ね合わせて貼り付けることでポスター８０（後述する図２参照）を作製するために用いられる。図１に示されるように、ラベルシート１は、例えば、短辺が２１０ｍｍで長辺が２９７ｍｍのＡ４サイズに形成されて長方形状を呈している。ラベルシート１は、フェイスシート１０と、剥離シート５０と、を備えている。
【００２４】
フェイスシート１０の本体部１５は、例えば紙やフィルム等によって形成されている。フェイスシート１０は、この例では、ラベルシート１と同形状に形成されて長方形状を呈している。フェイスシート１０は、第１の方向Ｄ１に延びる一対の第１の縁１１，１１と、第１の方向Ｄ１と直交する第２の方向Ｄ２に延びる一対の第２の縁１２，１２と、を有している。第１の縁１１，１１は長方形状のフェイスシート１０の短辺であり、第２の縁１２，１２は長辺である。
【００２５】
フェイスシート１０は、印刷予定領域１８が設定される一方面１３と、粘着層１６が形成された他方面１４と、を有している。印刷予定領域１８は、後述する印刷工程において画像が印刷されることが予定されている領域である。印刷予定領域１８は、例えばフェイスシート１０よりも一回り小さい長方形状に形成されている。
【００２６】
粘着層１６は、例えば他方面１４の全面に形成されている。粘着層１６は、剥離シート５０を剥離可能に粘着している。粘着層１６を構成する粘着剤としては、例えば、アクリル系粘着剤、合成ゴム系粘着剤、シリコーン系粘着剤等を用いることができる。
【００２７】
また、フェイスシート１０は、第１の切断線３０を有している。第１の切断線３０は、フェイスシート１０を当該第１の切断線３０で容易に切断可能とする線である。第１の切断線３０は、例えばキスカット（ハーフカット）により形成されている。第１の切断線３０は、印刷予定領域１８よりも一回り小さい長方形状に形成されている。第１の切断線３０は、長辺である一対の第１の線分３２，３２と、短辺である一対の第２の線分３４，３４と、を有している。
【００２８】
フェイスシート１０において、第１の切断線３０の内側が使用領域２０とされ、第１の切断線３０の外側が除去領域２２とされる。つまり、フェイスシート１０は、第１の切断線３０によって、長方形状の使用領域２０と、使用領域２０を囲む枠上の除去領域２２と、に区切られている。使用領域２０は、ポスター８０の作製に使用されてポスター８０の一部となる領域であり、除去領域２２は、ポスター８０の作製時に除去される領域である。
【００２９】
剥離シート５０は、粘着層１６を介してフェイスシート１０の他方面１４に剥離可能に積層されている。剥離シート５０は、例えば紙やフィルム等によって形成されている。剥離シート５０は、例えば、フェイスシート１０と同形状に形成されて長方形状を呈している。剥離シート５０は、長辺である一対の第１の縁５１，５１と、短辺である一対の第２の縁５２，５２と、を有している。
【００３０】
剥離シート５０は、第２の切断線６０を有している。第２の切断線６０は、剥離シート５０を当該第２の切断線６０で容易に切断可能とする線である。第２の切断線６０は、例えばミシン目により形成されている。第２の切断線６０は、第１の切断線３０の延在方向に沿って延在している。第２の切断線６０は、この例では、第１の方向Ｄ１に延びる一対の第１の線分６２，６２と、第２の方向Ｄ２に延びる一対の第２の線分６４，６４と、を有している。一対の第１の線分６２，６２及び一対の第２の線分６４，６４の両端部は、剥離シート５０の縁まで延びている。
【００３１】
また、第２の切断線６０は、使用領域２０を通るように延在している。この例では、図１（ａ），（ｂ）に示されるように、一対の第１の線分６２，６２は、第１の切断線３０の一対の第１の線分３２，３２よりも内側に形成されており、図１（ｃ）に示されるように、一対の第２の線分６４，６４は、第１の切断線３０の一対の第２の線分３４，３４よりも内側に形成されている。
【００３２】
このような第２の切断線６０により、第２の切断線６０に沿った任意の形状で剥離シート５０を切断することができる。第２の切断線６０で切断して剥離した箇所では、フェイスシート１０の他方面１４側の粘着層１６を剥離シート５０から露出させることができる。
【００３３】
次に、複数のラベルシート１を用いた、第１の実施形態に係るポスター作製方法を説明する。図２は、第１の実施形態に係るポスター作製方法により作製されたポスターを示す模式図である。以下では、一例として、４枚のラベルシート１を貼り付け対象９０に順次貼り付けることでポスター８０を作製する例を説明する。貼り付け対象９０は、ポスター８０を貼り付け可能な表面であればよく、例えば、壁面、板面、床面、天井面、又は窓や机等の平面、円柱面等の曲面、自動車や鉄道車両等のボディ面等である。
【００３４】
以下では、図２に示されるように、図２中左上、右上、左下、右下のラベルシート１を、それぞれラベルシート１Ａ，１Ｂ，１Ｃ，１Ｄとして説明する。また、ラベルシート１Ａ，１Ｂ，１Ｃ，１Ｄのフェイスシート１０を、それぞれフェイスシート１０Ａ，１０Ｂ，１０Ｃ，１０Ｄとして説明する。図２では、各フェイスシート１０について、重ね合わせによって他のフェイスシート１０の下方に位置している部分を破線で示している。この点は、図７，９，１０についても同様である。
【００３５】
第１の実施形態のポスター作製方法は、概略的には、印刷工程と、貼り付け工程と、を含んでいる。印刷工程は、ラベルシート１の各々に画像を印刷する工程である。貼り付け工程は、画像が印刷されたラベルシート１同士を重ね合わせて貼り付ける工程である。
【００３６】
図３は、印刷工程を説明するフローチャートである。印刷工程では、図示しないコンピュータ、及び当該コンピュータと直接的又はネットワーク等により間接的に接続されたプリンタが用いられる。コンピュータとしては、例えば、パーソナルコンピュータ、タブレットコンピュータ、スマートフォン等を用いることができ、プリンタとしては、例えば、レーザープリンタやインクジェットプリンタ等を用いることができる。以下では、コンピュータ及び当該コンピュータに接続されたプリンタによって、いくつかの処理がなされるとして説明する。これらの処理は、例えば、当該コンピュータ上でポスター印刷機能を実装したポスター印刷ソフトウェアを実行することによりなされる。なお、このポスター印刷ソフトウェアは、操作者が直接操作するコンピュータにインストールされていてもよく、或いは操作者が直接操作するコンピュータにネットワーク等を介して接続された別のコンピュータにインストールされていてもよい。
【００３７】
まず、ユーザは、ポスター印刷ソフトウェア上で印刷データを指定する（ステップＳ１１）。印刷データは、完成されたポスター８０の全体に表示される印刷画像のデータである。次に、ユーザは、４枚のラベルシート１をプリンタに供給する（ステップＳ１２）。ユーザは、ポスター印刷ソフトウェアに対して、ラベルシート１の仕様情報、すなわち、ラベルシート１のサイズ、及び印刷予定領域１８の位置やサイズ等の情報を入力する（ステップＳ１３）。なお、ステップＳ１３では、ポスター印刷ソフトウェアに予めラベルシート１の仕様情報を保存しておき、これを指定してもよい。
【００３８】
ポスター印刷ソフトウェアは、ステップＳ１１で指定された印刷データを参照して、各ラベルシート１に印刷する分割画像の大きさを算出する（ステップＳ１４）。ポスター印刷用ソフトウェアは、印刷画像を４つの分割画像に分割し、プリンタに印刷データとして送信する（ステップＳ１５）。プリンタは、受け付けた印刷データに基づき、４枚のラベルシート１の各々に分割画像を印刷する（ステップＳ１６）。具体的には、フェイスシート１０の一方面１３における印刷予定領域１８に分割画像を印刷する。このとき、ラベルシート１に印刷される分割画像は、当該ラベルシート１と隣接するラベルシート１に印刷される分割画像との間に重複する領域を有するように形成される。なお、ステップＳ１２における４枚のラベルシート１のプリンタへの供給は、ステップＳ１５におけるプリンタへの印刷データの送信以前に行われれば、どの段階で行われてもよい。
【００３９】
図４は、貼り付け工程を説明するフローチャートである。図５〜図１０は、貼り付け工程を説明する模式図である。図４に示される各工程は、貼り付け対象９０に貼り付けられたラベルシート１に対して他のラベルシート１を重ね合わせて貼り付ける際に繰り返し実行される。
【００４０】
はじめに、貼り付け対象９０に対してラベルシート１Ａを貼り付ける。図５（ａ）には、印刷後のラベルシート１Ａが示されている。図５（ｂ）に示されるように、ユーザは、第１の切断線３０でフェイスシート１０Ａから除去領域２２を除去する。次に、図５（ｃ）に示されるように、フェイスシート１０Ａから剥離シート５０の全てを剥離して粘着層１６を露出させ、フェイスシート１０Ａの他方面１４を貼り付け対象９０の目標位置に貼り付ける。
【００４１】
続いて、ラベルシート１Ｂを貼り付ける。まず、ユーザは、第１の切断線３０に沿ってフェイスシート１０Ｂから除去領域２２を除去する（ステップＳ２１）。次に、図６（ａ）及び図６（ｂ）に示されるように、第２の切断線６０で剥離シート５０を切断し、フェイスシート１０Ａに対して貼り付ける側（図６中左側）で、使用領域２０における粘着層１６の一部を剥離シート５０から露出させる（ステップＳ２２）。その後、図６（ｃ）に示されるように、粘着層１６が露出したフェイスシート１０Ｂの他方面１４を、フェイスシート１０Ａの一方面１３に重ね合わせて貼り付ける（ステップＳ２３）。ステップＳ２３における貼り付けは、フェイスシート１０Ａ，１０Ｂ同士の予備固定を目的としている。
【００４２】
ステップＳ２３では、ユーザは、フェイスシート１０Ａの画像とフェイスシート１０Ｂの画像とが連続するように、フェイスシート１０Ａ，１０Ｂ同士の位置を合わせて重ね合わせる。このとき、位置がずれてしまった場合には、貼り付けたフェイスシート１０Ｂを剥がして貼り直しを行う。
【００４３】
また、図６（ｃ）に示されるように、この例では、フェイスシート１０Ｂの他方面１４とフェイスシート１０Ａの一方面１３との重ね合わせ幅Ｗ１は、フェイスシート１０Ｂの他方面１４に露出した粘着層１６の幅Ｗ２と等しくなるように設定されている。このため、ラベルシート１Ｂの剥離シート５０の縁とフェイスシート１０Ａの一方面１３の縁とが一致するように重ね合わせることで、フェイスシート１０Ａの画像とフェイスシート１０Ｂの画像とが確実に連続する。
【００４４】
ステップＳ２３に続いて、図７（ａ）に示されるように、ユーザは、フェイスシート１０Ｂから残りの剥離シート５０を剥離し、粘着層１６を剥離シート５０から露出させる（ステップＳ２４）。このとき、図７（ａ）中に矢印Ａで示されるように、剥離シート５０を、フェイスシート１０Ａとは逆方向に剥離させる。その後、図７（ｂ）に示されるように、粘着層１６が露出したフェイスシート１０Ｂの他方面１４を貼り付け対象９０に貼り付ける（ステップＳ２５）。ステップＳ２５における貼り付けは、フェイスシート１０Ｂの貼り付け対象９０に対する固定を目的としている。以上の手順により、ラベルシート１Ｂの貼り付けが完了する。
【００４５】
その後、図８〜図１０に示されるように、ラベルシート１Ｃ，１Ｄ（フェイスシート１０Ｃ，１０Ｄ）についても同様の手順で貼り付ける。これらの貼り付けにおいては、ステップＳ２２で粘着層１６を露出させる方向、及びステップＳ２４で剥離シート５０を剥離させる方向のみがラベルシート１Ｂの場合と異なる。具体的には、ラベルシート１Ｃを貼り付ける際には、図８に示されるようにステップＳ２２で図８中上側において粘着層１６を露出させ、ステップＳ２４で図９（ａ）中に矢印Ｂで示される方向に剥離シート５０を剥離させる。また、ラベルシート１Ｄを貼り付ける際には、ステップＳ２２で図１０中上側において粘着層１６を露出させ、ステップＳ２４で図１０中に矢印Ｃで示される方向に剥離シート５０を剥離させる。
【００４６】
以上の手順により、ポスター８０の作製が完了する。ポスター８０では、図１０（ｂ）に示されるように、表面に露出するフェイスシート１０の面積がそれぞれ異なるものとなる。具体的には、この例では、フェイスシート１０Ａとフェイスシート１０Ｃの露出幅（図１０（ｂ）中の左右方向の長さ）が等しくされ、フェイスシート１０Ｂとフェイスシート１０Ｄの露出幅が等しくされている。フェイスシート１０Ａ及びフェイスシート１０Ｃの露出幅は、フェイスシート１０Ｂ及びフェイスシート１０Ｄの露出幅よりも小さくなっている。また、フェイスシート１０Ａとフェイスシート１０Ｂの露出高さ（図１０（ｂ）中の上下方向の長さ）が等しくされ、フェイスシート１０Ｃとフェイスシート１０Ｄの露出高さが等しくされている。フェイスシート１０Ａ及びフェイスシート１０Ｂの露出高さは、フェイスシート１０Ｃ及びフェイスシート１０Ｄの露出高さよりも小さくなっている。
【００４７】
図１１は、第１の実施形態に係るポスター作製方法によって作製されるポスター８０の寸法例である。このポスター８０は、２枚のラベルシート１を互いの短辺同士を貼り付けて短辺方向に延長することで作製されたものである。ラベルシート１は、短辺が２１０ｍｍで長辺が２９７ｍｍのＡ４サイズのものが用いられている。使用領域２０の短辺の長さＬ１は１９５ｍｍとされており、使用領域２０の長辺の長さＬ２は２７５．７ｍｍとされている。なお、図１１には示されていないが、この例のようにＡ４サイズのラベルシート１を用いる場合、印刷予定領域１８のサイズは、一例として、短辺の長さを２００ｍｍとし、印刷予定領域１８の長辺の長さを２７９．２ｍｍとしてもよい。
【００４８】
この例においては、使用領域２０同士の重ね合わせ幅Ｗ１は、２．５ｍｍとされている。これにより、完成したポスター８０の長辺の長さＬ３は、３８７．５ｍｍとなる。ポスター８０の短辺の長さは、使用領域２０の長辺の長さＬ３と等しくなり、２７５．７ｍｍとなる。このポスター８０の面積は、短辺が２９７ｍｍで長辺が４２０ｍｍのＡ３サイズの用紙の面積の８６％となる。
【００４９】
次に、第１の実施形態に係るラベルシート及びポスター作製方法の作用効果を説明する。本実施形態では、第２の切断線６０で剥離シート５０を切断することで、フェイスシート１０の粘着層１６の一部のみが剥離シート５０から露出した状態となる。粘着層１６が露出した一のフェイスシート１０を他のフェイスシート１０に対して位置合わせしつつ、一のフェイスシート１０の他方面１４を他のフェイスシート１０の一方面１３に重ね合わせて貼り付けることで、位置合わせをしながらフェイスシート１０同士を予備固定することができる。その後、一のフェイスシート１０から残りの剥離シート５０を剥離することで、印刷予定領域１８が連続するようにフェイスシート１０同士を重ね合わせて貼り付けることができる。このように、本実施形態によれば、フェイスシート１０同士を重ね合わせて貼り付ける際に粘着層１６の一部のみが露出するのでフェイスシート１０の位置の調節が容易であり、貼り付けの作業性を向上することができる。また、フェイスシート１０を貼り直すことが容易であることからも、貼り付けの作業性を向上することができる。
【００５０】
また、本実施形態では、第２の切断線６０が、一対の第１の線分６２，６２と、一対の第２の線分６４，６４と、を有していることから、一のフェイスシート１０を他のフェイスシート１０に対して貼り付ける方向を任意に選択することができる。また、第２の切断線６０の両端部が剥離シート５０の縁まで延びていることから、剥離シート５０を容易に剥離することができる。また、フェイスシート１０同士の重ね合わせ幅Ｗ１を、露出した粘着層１６の幅Ｗ２と等しくしていることから、重ね合わせ時における位置ずれの発生を抑制することができる。また、予め塗布された粘着層１６によってフェイスシート１０を貼り付けることから、糊等を塗布する工程を不要とすることができる。
【００５１】
以上、第１の実施形態について説明したが、これは一例であり、適宜に変更可能である。
例えば、上記の例では、４枚のラベルシート１を貼り付ける場合を説明したが、（ｎ×ｍ）枚のラベルシート１をｎ行ｍ列に貼り付けることでポスター８０を作製してもよい。なお、ｎ及びｍは自然数である。
【００５２】
また、上記の例では、貼り付け対象９０に貼り付けられたフェイスシート１０に対して、図５〜図１０中における右側又は下側から他のフェイスシート１０を貼り付ける場合を説明したが、図５〜図１０中における上側又は左側から他のフェイスシート１０を貼り付けてもよい。すなわち、第１の実施形態では、貼り付け対象９０に貼り付けられたフェイスシート１０に対して、図５〜図１０中における上側、下側、左側、及び右側の４方向側から他のフェイスシート１０を貼り付けることができる。
【００５３】
また、上記の例では、第２の切断線６０が、一対の第１の線分６２，６２と、一対の第２の線分６４，６４と、を有している場合を説明したが、第１の線分６２と第２の線分６４とを１本ずつ有していてもよい。この場合、２方向側から他のフェイスシート１０を貼り付けることとなる。また、第２の切断線６０が、１本の線分のみを有していてもよい。この場合、１方向側のみから他のフェイスシート１０を貼り付けることとなる。
【００５４】
また、上記の例では、一対の第１の線分６２，６２及び一対の第２の線分６４，６４の両端部が、剥離シート５０の縁まで延びている場合を説明したが、これに限られない。一対の第１の線分６２，６２及び一対の第２の線分６４，６４の両端部の少なくとも１つが、剥離シート５０の縁まで延びていなくともよい。また、上記の例では、一対の第１の線分６２，６２及び一対の第２の線分６４，６４が直線状に形成されている場合を説明したが、これに限定されず、例えば曲線状に形成されていてもよい。
【００５５】
また、上記の例では、ラベルシート１が長方形状に形成された場合を説明したが、これに限られず、例えば、正方形等の他の矩形状、六角形、ひし形等、隙間なく繋ぎ合わすことができる形状に形成されてもよい。また、上記の例では、第１の方向Ｄ１と第２の方向Ｄ２とが直交する場合を説明したが、第１の方向Ｄ１と第２の方向Ｄ２とは交差していればよく、直交以外の角度で交差していてもよい。また、上記の例では、第１の切断線３０がキスカットにより形成され、第２の切断線６０がミシン目により形成された場合を説明したが、第１の切断線３０及び第２の切断線６０は、これらに沿って容易に切断可能であればよく、キスカット、ミシン目、又はその他の態様のいずれにより形成されてもよい。
【００５６】
また、ラベルシートは、図１２に示される変形例のように構成してもよい。図１２に示されるラベルシート１Ｊでは、第２の切断線６０は、第１の方向Ｄ１に延びる複数の第１の線分６２，６２と、第２の方向Ｄ２に延びる複数の第２の線分６４，６４と、を有している。第１の線分６２は、この例では、３本の第１の線分６２ａ，６２ｂ，６２ｃを含んでいる。第２の線分６４は、この例では、３本の第２の線分６４ａ，６４ｂ，６４ｃを含んでいる。第１の線分６２ａ，６２ｂ，６２ｃは、剥離シート５０の第１の縁５１に沿って、所定の間隔Ｌ７，Ｌ８，Ｌ９を空けて配置されている。第２の線分６４ａ，６４ｂ，６４ｃは、剥離シート５０の第２の縁５２に沿って、所定の間隔Ｌ１０，Ｌ１１，Ｌ１２を空けて配置されている。間隔Ｌ７は間隔Ｌ８よりも長くされており、間隔Ｌ８は間隔Ｌ９よりも長くされている。間隔Ｌ１０は間隔Ｌ１１よりも長くされており、間隔Ｌ１１は間隔Ｌ１２よりも長くされている。
【００５７】
このラベルシート１Ｊによれば、複数の第１の線分６２ａ，６２ｂ，６２ｃの中から選択した線分で剥離シート５０を切断し、粘着層１６の一部を剥離シート５０から露出させることで、フェイスシート１０の他方面１４に露出する粘着層１６の幅を変更することができる。また、第１の方向Ｄ１側に貼り付ける場合と第２の方向Ｄ２側に貼り付ける場合とで、フェイスシート１０の他方面１４に露出する粘着層１６の幅を変更することができる。なお、間隔Ｌ７〜Ｌ１２は、任意の長さに設定することができる。
【００５８】
また、ラベルシートは、図１３に示される変形例のように構成してもよい。図１３に示されるラベルシート１Ｋでは、第２の切断線６０は、第１の切断線３０と重なる位置に矩形状に形成された第３の線分６６を更に有している。ラベルシート１Ｋでは、一対の第１の線分６２，６２及び一対の第２の線分６４，６４の両端部は、第３の線分６６の縁まで延びている。
【００５９】
このラベルシート１Ｋでは、第１の切断線３０でフェイスシート１０を切断して除去領域２２を除去すると、剥離シート５０における第３の線分６６内の領域のみが残ることとなる。このため、フェイスシート１０同士を貼り付ける際に、フェイスシート１０から剥離シート５０がはみ出さない。これにより、貼り付け対象９０にラベルシート１を貼り付けることなくポスター８０を作製することが可能となる。この変形例に係るポスター作製方法により作製されたポスター８０は、貼り付け対象９０に貼り付けられていない状態で完成される。この状態では、重ね合わせに必要のない剥離シート５０は、剥離されずに残存している。完成後、残存している剥離シート５０を剥離し、ポスター８０を貼り付け対象９０に貼り付けることができる。この変形例によれば、例えば、ポスター８０を第１の場所で完成させ、第１の場所とは異なる第２の場所で利用することが可能となる。なお、ラベルシート１Ｋでは、上記の例と同様に、貼り付け対象９０に順次貼り付けることでポスター８０を作製することも可能である。
【００６０】
また、ラベルシートは、図１４に示される変形例のように構成してもよい。図１４に示されるラベルシート１Ｌでは、第２の切断線６０は、第３の線分６７と、第４の線分６８と、を有している。第３の線分６７は、一対の第１の線分６２，６２、一対の第２の線分６４，６４、及び第１の切断線３０よりも内側に形成されて矩形状をなしている。第４の線分６８は、第３の線分６７で画成される矩形状の領域７１と、一対の第１の線分６２，６２、一対の第２の線分６４，６４、並びに剥離シート５０の一対の第１の縁５１，５１及び一対の第２の縁５２，５２によって囲まれた領域７３と、を連結している。第４の線分６８は、第１の方向Ｄ１及び第２の方向Ｄ２に対して傾斜して延在しており、一対の第１の線分６２，６２と一対の第２の線分６４，６４との交点と、第３の線分６７の頂点と、を連結している。
【００６１】
このラベルシート１Ｌによっても、上記ラベルシート１の場合と同様にポスター８０を作製することができる。例えば、貼り付け対象９０に貼り付けられたフェイスシート１０に対して、図１４中における右側から他のフェイスシート１０を貼り付ける場合には、剥離シート５０の左側に位置する領域７３，７３と、これら領域７３，７３の間に挟まれた領域とにおいて粘着層１６を剥離シート５０から露出させる。このとき、領域７３，７３において粘着層１６が露出する幅は、領域７３，７３の間に挟まれた領域において粘着層１６が露出する幅よりも小さくなる。このように、ラベルシート１Ｌによれば、辺部における位置によって、粘着層１６を露出させる幅を異なるものとすることができる。
【００６２】
［第２の実施形態］
図１５は、第２の実施形態に係るラベルシートを示す図であり、（ａ）はフェイスシート側から見た図であり、（ｂ）は剥離シート側から見た図であり、（ｃ）は断面図である。図１５に示されるラベルシート１Ｍは、フェイスシート１０が第１の切断線３０を有していない点で、上述した例におけるラベルシート１と相違する。
【００６３】
ラベルシート１Ｍでは、印刷予定領域１８が一方面１３の全面に設定される。したがって、印刷工程において、フェイスシート１０の縁まで分割画像が印刷される。
【００６４】
ラベルシート１Ｍを用いた第２の実施形態に係るポスターの作製方法は、図４に示されたステップＳ２１の工程を含まない点で上述した第１の実施形態に係るポスター作製方法と相違する。その他の点については同一であるので説明を省略する。なお、ラベルシート１Ｍでは、上述したラベルシート１Ｋの場合と同様に、貼り付け対象９０にラベルシート１を貼り付けることなくポスター８０を作製することもできる。
【００６５】
第２の実施形態では、第１の実施形態と同様に、第２の切断線６０で剥離シート５０を切断することで、フェイスシート１０の粘着層１６の一部のみが剥離シート５０から露出した状態となる。粘着層１６が露出した一のフェイスシート１０を他のフェイスシート１０に対して位置合わせしつつ、一のフェイスシート１０の他方面１４を他のフェイスシート１０の一方面１３に重ね合わせることで、位置合わせをしながらフェイスシート１０同士を予備固定することができる。その後、一のフェイスシート１０から残りの剥離シート５０を剥離することで、印刷予定領域１８が連続するようにフェイスシート１０同士を重ね合わせて貼り付けることができる。このように、第２の実施形態によれば、フェイスシート１０同士を重ね合わせて貼り付ける際に粘着層１６の一部のみが露出するのでフェイスシート１０の位置の調節が容易であり、貼り付けの作業性を向上することができる。また、フェイスシート１０を貼り直すことが容易であることからも、貼り付けの作業性を向上することができる。
【００６６】
以上、第２の実施形態について説明したが、これは一例であり、適宜に変更可能である。
例えば、ラベルシートは、図１６に示される変形例のように構成してもよい。図１６に示されるラベルシート１Ｎでは、第２の切断線６０は、第３の線分６７と、第４の線分６８と、を有している。第３の線分６７は、一対の第１の線分６２，６２及び一対の第２の線分６４，６４よりも内側に形成されて矩形状をなしている。第４の線分６８は、第３の線分６７で画成される矩形状の領域７１と、一対の第１の線分６２，６２、一対の第２の線分６４，６４、並びに剥離シート５０の一対の第１の縁５１，５１及び一対の第２の縁５２，５２によって囲まれた領域７３と、を連結している。第４の線分６８は、第１の方向Ｄ１及び第２の方向Ｄ２に対して傾斜して延在しており、一対の第１の線分６２，６２と一対の第２の線分６４，６４との交点と、第３の線分６７の頂点と、を連結している。
【００６７】
このラベルシート１Ｎによっても、上記ラベルシート１Ｍの場合と同様にポスター８０を作製することができる。例えば、貼り付け対象９０に貼り付けられたフェイスシート１０に対して、図１６中における右側から他のフェイスシート１０を貼り付ける場合には、剥離シート５０の左側に位置する領域７１，７１と、これら領域７１，７１の間に挟まれた領域とにおいて粘着層１６を剥離シート５０から露出させる。このとき、領域７１，７１において粘着層１６が露出する幅は、領域７１，７１の間に挟まれた領域において粘着層１６が露出する幅よりも小さくなる。このように、ラベルシート１Ｎによれば、辺部における位置によって、粘着層１６を露出させる幅を異なるものとすることができる。
【００６８】
また、ラベルシートは、図１７に示される変形例のように構成してもよい。図１７に示されるラベルシート１Ｐでは、フェイスシート１０が剥離シート５０に対して一回り小さく形成されており、剥離シート５０の縁が全辺にわたってフェイスシート１０の縁からはみ出している。このラベルシート１Ｐでは、貼り付け対象９０に順次貼り付けることでポスター８０を作製することができる。
【００６９】
このラベルシート１Ｐでは、フェイスシート１０の大きさが、第１の実施形態に係るラベルシート１の使用領域２０の大きさと同じ大きさとなっている。このため、第１の実施形態と比較して、ポスター８０の作製時に除去領域２２を除去する工程を省略することができる。なお、この例では、フェイスシート１０の一対の第１の縁１１，１１及び一対の第２の縁１２，１２の各々から剥離シート５０の縁がはみ出しているが、フェイスシート１０の一対の第１の縁１１，１１及び一対の第２の縁１２，１２のうちの一部の縁のみから剥離シート５０の縁がはみ出していてもよい。
【符号の説明】
【００７０】
１，１Ａ，１Ｂ，１Ｃ，１Ｄ，１Ｊ，１Ｋ，１Ｌ，１Ｍ，１Ｎ，１Ｐ…ラベルシート、１０，１０Ａ，１０Ｂ，１０Ｃ，１０Ｄ…フェイスシート、１１…第１の縁、１２…第２の縁、１３…一方面、１４…他方面、１５…本体部、１６…粘着層、１８…印刷予定領域、２０…使用領域、２２…除去領域、３０…第１の切断線、３２，３２ａ，３２ｂ，３２ｃ…第１の線分、３４，３４ａ，３４ｂ，３４ｃ…第２の線分、５０…剥離シート、５１…第１の縁、５２…第２の縁、６０…第２の切断線、６２…第１の線分、６４…第２の線分、６６…第３の線分、６７…第３の線分、６８…第４の線分、７１…領域、７３…領域、８０…ポスター、９０…貼り付け対象、Ｄ１…第１の方向、Ｄ２…第２の方向、Ｗ１…重ね合わせ幅、Ｗ２…露出した粘着層の幅。
【図１】
2016051037.tif 000003
【図２】
2016051037.tif 000004
【図３】
2016051037.tif 000005
【図４】
2016051037.tif 000006
【図５】
2016051037.tif 000007
【図６】
2016051037.tif 000008
【図７】
2016051037.tif 000009
【図８】
2016051037.tif 000010
【図９】
2016051037.tif 000011
【図１０】
2016051037.tif 000012
【図１１】
2016051037.tif 000013
【図１２】
2016051037.tif 000014
【図１３】
2016051037.tif 000015
【図１４】
2016051037.tif 000016
【図１５】
2016051037.tif 000017
【図１６】
2016051037.tif 000018
【図１７】
2016051037.tif 000019